(57)【要約】【課題】赤道儀を含む光学機器の位置及び角度の微調整の精度を高めた光学機器用支持台を提供する。【解決手段】支持の基礎となるベース部材１０２と、光学機器が取り付けられるエンド部材１０４と、ベース部材１０２とエンド部材１０４とを接続し、それぞれ独立に伸縮可能な複数の調整ロッド１０６と、を備え、ベース部材１０２とエンド部材１０４との相対的な位置及び角度を変更可能であるパラレルメカニズムを適用した光学機器用支持台１００とする。【選択図】図１
0003182594.tif 000002
【実用新案登録請求の範囲】
【請求項１】
支持の基礎となるベース部材と、
光学機器が取り付けられるエンド部材と、
前記ベース部材と前記エンド部材とを接続し、それぞれ独立に伸縮可能な複数の調整ロッドと、
を備え、
前記ベース部材と前記エンド部材との相対的な位置及び角度を変更可能であるパラレルメカニズムを適用した、赤道儀を含む光学機器を支持するための光学機器用支持台。
【請求項２】
請求項１に記載の光学機器用支持台であって、
前記調整ロッドは、前記ベース部材又は前記エンド部材との間に角度変更機構を有し、前記角度変更機構の固さが調整可能であることを特徴とする光学機器用支持台。
【請求項３】
請求項２に記載の光学機器用支持台であって、
前記角度変更機構は、前記調整ロッドの先端部の球面体と、前記ベース部材又は前記エンド部材に設けられた前記球面体に接する座具と、を備え、
前記球面体と前記座面との接触圧力を調整可能であることを特徴とする光学機器用支持台。
【請求項４】
請求項１〜３のいずれか１項に光学機器用支持台であって、
前記調整ロッドは、端部外周にネジ山を有する接続ロッドと、筒状端部内面に前記接続ロッドと嵌合するネジ山を有する接続パイプと、を組み合わせて構成され、前記接続ロッド又は前記接続パイプの少なくとも１つのネジ山は転造により形成されていることを特徴とする光学機器用支持台。
【考案の詳細な説明】
【技術分野】
【０００１】
本考案は、赤道儀を含む光学機器を支持するための光学機器用支持台に関する。
【背景技術】
【０００２】
カメラや望遠鏡等の光学機器により対象物を撮影又は観測する際に、光学機器を安定して固定するために三脚等に取り付けて使用することがある。三脚には、光学機器の位置や角度を微調整するための光学機器用支持台が用いられている。
【０００３】
また、天体観察に用いる望遠鏡には天体を追尾するための赤道儀が取り付けられて使用されることがある。このような赤道儀を含む光学機器を支持し、その位置や角度を微調整するために押し引きネジを利用したステージやギア機構を利用した調整支持台が使用されている。
【考案の概要】
【考案が解決しようとする課題】
【０００４】
ところで、赤道儀を含む望遠鏡のような重量の大きな光学機器の微調整を可能とする支持台として押し引きネジを利用したステージを適用した場合、調整後に固定する際にずれが発生する心配がなく、また構造上、重い装置の移動にも適している。しかしながら、操作性が悪く、構造上、支持台自体の重量が大きくなってしまうという問題がある。
【０００５】
一方、ギア機構を利用した調整支持台では、操作性には優れているものの、安価に作成したものでは構造上においてギアのバックラッシュによって、赤道儀に必要とされる精度での微調整が困難である。
【０００６】
そこで、構造上、小型・軽量化が可能であり、バックラッシュによる位置及び角度の調整のずれが小さく、赤道儀を含む光学機器の位置及び角度を高精度に微調整することを可能とする光学機器用支持台が望まれている。
【課題を解決するための手段】
【０００７】
本考案の１つの態様は、支持の基礎となるベース部材と、光学機器が取り付けられるエンド部材と、前記ベース部材と前記エンド部材とを接続し、それぞれ独立に伸縮可能な複数の調整ロッドと、を備え、前記ベース部材と前記エンド部材との相対的な位置及び角度を変更可能であるパラレルメカニズムを適用した、赤道儀を含む光学機器を支持するための光学機器用支持台である。
【０００８】
ここで、前記調整ロッドは、前記ベース部材又は前記エンド部材との間に角度変更機構を有し、前記角度変更機構の固さが調整可能であることが好適である。
【０００９】
また、前記角度変更機構は、前記調整ロッドの先端部の球面体と、前記ベース部材又は前記エンド部材に設けられた前記球面体に接する座具と、を備え、前記球面体と前記座面との接触圧力を調整可能であることが好適である。
【００１０】
また、前記調整ロッドは、端部外周にネジ山を有する接続ロッドと、筒状端部内面に前記接続ロッドと嵌合するネジ山を有する接続パイプと、を組み合わせて構成され、前記接続ロッド又は前記接続パイプの少なくとも１つのネジ山は転造により形成されていることが好適である。
【考案の効果】
【００１１】
本考案によれば、簡素な構成で光学機器の位置及び角度の微調整を可能とする、赤道儀を含む光学機器を支持する光学機器用支持台を提供することができる。
【図面の簡単な説明】
【００１２】
【図１】本考案の実施の形態における光学機器用支持台の全体構成を示す斜視図である。
【図２】本考案の実施の形態におけるベース部材の構成を示す平面図である。
【図３】本考案の実施の形態におけるベース部材の構成を示す断面図である。
【図４】本考案の実施の形態におけるエンド部材の構成を示す平面図である。
【図５】本考案の実施の形態におけるエンド部材の構成を示す側面図である。
【図６】本考案の実施の形態における取付治具の構成を示す平面図である。
【図７】本考案の実施の形態における取付治具の構成を示す側面図である。
【図８】本考案の実施の形態における光学機器用支持台の組立図である。
【図９】本考案の実施の形態における光学機器用支持台の分解図である。
【図１０】本考案の実施の形態における第１ネジの平面図である。
【図１１】本考案の実施の形態における第２ネジの平面図である。
【考案を実施するための形態】
【００１３】
本考案の実施の形態における光学機器用支持台１００は、図１の斜視図に示すように、ベース部材１０２、エンド部材１０４及び調整ロッド１０６を組み合わせて構成される。本実施の形態では、調整ロッド１０６が３つ設けられた例について説明するが、これに限定されるものでなく、調整ロッド１０６が複数設けられていればよい。
【００１４】
ベース部材１０２は、光学機器用支持台１００の基礎となる部材である。ベース部材１０２は、三脚等に取り付けられたり、台等に載せ置かれたりして、エンド部材１０４や調整ロッド１０６を支持する。ベース部材１０２は、金属材料やプラスチック等の光学機器を機械的に支持可能な強度を有する材料で形成される。
【００１５】
本実施の形態の光学機器用支持台１００では、図２の平面図及び図３の断面図に示すように、ベース部材１０２を円盤形状の平板とした。図３は、図２におけるラインＡ−Ａにおける断面図である。ベース部材１０２の形状及び大きさは、光学機器用支持台１００の使用態様に応じて決定すればよい。また、ベース部材１０２を三脚等に固定して利用する場合には固定部材を設けることが好ましい。例えば、ベース部材１０２に三脚等に固定するためのタップ穴１０が設けられる。
【００１６】
また、ベース部材１０２には、調整ロッド１０６を取り付けるための取り付け穴１２が設けられる。取り付け穴１２は、調整ロッド１０６に応じた数だけ設けられる。調整ロッド１０６の取り付けについては後述する。
【００１７】
エンド部材１０４は、光学機器が取り付けられる部材である。エンド部材１０４は、光学機器を直接的又は間接的に取り付けるための構造を有する。エンド部材１０４は、金属材料やプラスチック等の光学機器を機械的に支持可能な強度を有する材料で形成される。
【００１８】
本実施の形態の光学機器用支持台１００では、図４の平面図及び図５の断面図に示すように、エンド部材１０４を円盤形状の平板とした。エンド部材１０４には、カメラや望遠鏡等の光学機器を取り付けられる構成とする。光学機器を取り付ける面を平面とし、取り付け用の固定部材を設けることが好ましい。
【００１９】
例えば、エンド部材１０４の中心に円形の穴２２を設け、そこに図６の平面図及び図７の断面図に示すようなに光学機器を取り付けるための取付治具２６を設ければよい。取付治具２６の外径は、穴２２の内径よりも僅かに小さくされており、穴２２に取付治具２６を嵌め込んでネジ穴２４を利用して横からネジ止めして取り付けられる。このような取付治具２６を取付可能とすることによって、ネジ穴２８を用いて光学機器を光学機器用支持台１００に強固に固定することが可能である。さらに、取付治具２６を円形とすることで光学機器の方位の粗調整を行うことができる。これにより、例えば赤道儀を含む光学機器を極軸に合わせる等の作業を行う際に、微調整の前に大まかに光学機器の位置の調整を行うことが可能となる。
【００２０】
また、エンド部材１０４には、調整ロッド１０６を取り付けるための取り付け穴２０が設けられる。取り付け穴２０は、調整ロッド１０６に応じた数だけ設けられる。調整ロッドの取り付けついては後述する。
【００２１】
なお、ベース部材１０２及びエンド部材１０４として必要な剛性を維持できる程度において、ベース部材１０２及びエンド部材１０４の一部に穴を開ける等して軽量化を図ってもよい。
【００２２】
調整ロッド１０６は、ベース部材１０２とエンド部材１０４とを接続し、その長さを伸縮可能であり、ベース部材１０２とエンド部材１０４との相対的な位置及び角度を調整するために設けられる。すなわち、ベース部材１０２とエンド部材１０４とは複数の調整ロッド１０６によって並列に接続され、パラレルメカニズムを構成する。
【００２３】
本実施の形態における光学機器用支持台１００は、複数の調整ロッド１０６がそれぞれ独立に伸縮可能なスチュワート・プラットフォーム型のパラレルメカニズムを構成している。ただし、これに限定されるものではなく、構造が必要程度に簡素化できる程度において他の形態のパラレルメカニズムを採用してもよい。
【００２４】
次に、調整ロッド１０６によるベース部材１０２とエンド部材１０４との接続について説明する。図８は調整ロッド１０６によるベース部材１０２とエンド部材１０４との接続を示す組み立て図であり、図９はそれらの分解構成図を示す。図８及び図９では、その組み立て状態を明確に示すために一部を断面図として表している。
【００２５】
本実施の形態では、調整ロッド１０６は、接続パイプ３０、接続ロッド３２、第１ネジ３４及び第２ネジ３６により構成される。接続パイプ３０は、円筒状の部材であり、一端側の外周にネジ山３０ａが設けられ、他端側の内周がタップ穴３０ｂとなっている。接続ロッド３２は、棒状の部材であり、一端の外周にタップ穴３０ｂに合ったネジ山３２ａが設けられ、他端は球面形状を有する球面体３２ｂが設けられる。ネジ山３２ａは、調整ロッド１０６において必要とされる伸縮の長さに応じて設けられる。
【００２６】
このような接続パイプ３０及び接続ロッド３２を、タップ穴３０ｂにネジ山３２ａを嵌め込むことによって結合させる。このような構成において、接続パイプ３０と接続ロッド３２とを相対的に回転させることによって調整ロッド１０６の全体としての長さが調整可能となる。
【００２７】
ここで、接続ロッド３２の少なくともネジ山３２ａの部分は転造により形成することが好適である。光学機器用支持台１００では調整ロッド１０６の伸縮の精度が重要であり、接続ロッド３２のネジ山３２ａを転造により形成することによって、ネジ山３２ａをより高い精度で形成することができ、接続パイプ３０とのがたつきを抑制することができる。すなわち、通常のネジ切り（ダイスを用いたネジ切り等）では、切削面が粗くなり、ネジの移動に伴って引っ掛かりが発生し易く、光学機器の微調整の際に操作性にムラが生じ、適切な位置及び角度への調整が難しくなる。このような引っ掛かりを誤魔化すためにネジ同士の公差を大きくするとガタつきが大きくなり、微調整の精度が低くなる。転造されたネジは、切削のような面の粗さがなく、公差を小さくしてもスムーズに動かすことができる。これにより、光学機器用支持台１００の位置及び角度の調整を高い精度で実現することができる。
【００２８】
なお、接続パイプ３０と接続ロッド３２とが外れないようにする構造を設けることが好ましい。例えば、接続ロッド３２のネジ山３２ａ側の先端周囲に切り欠き部３２ｃを設け、接続パイプ３０に接続ロッド３２を挿入した状態において、接続パイプ３０のタップ穴３０ｂの内径よりも大きく、接続パイプ３０の上部の筒内径よりも小さいワッシャーを切り欠き部３２ｃに取り付ける。これによって、調整ロッド１０６を伸ばした際に接続ロッド３２が接続パイプ３０から外れることを防ぐことができる。
【００２９】
ユーザが接続ロッド３２を容易に回転させることができるようにするために、第１ネジ３４及び第２ネジ３６を設けることが好ましい。第１ネジ３４は、接続ロッド３２よりも大きな外径を有し、接続ロッド３２のネジ山３２ａに合ったタップ穴３４ａを有する。タップ穴３４ａにより、第１ネジ３４は接続ロッド３２のネジ山３２ａに取り付けられる。さらに、第１ネジ３４の側面にタップ穴３４ｂを設け、接続ロッド３２の側部に向けて第１ネジ３４をネジで固定してもよい。第１ネジ３４は、接続ロッド３２よりも大きな外径を有するので、ユーザは第１ネジ３４を回すことにより接続ロッド３２を直接回すよりも小さな力で接続ロッド３２を回すことができる。なお、第１ネジ３４の外周には、図１０の平面図に示すように、凹凸を設けてユーザの指が滑り難くしてもよい。
【００３０】
第２ネジ３６は、図１１の平面図に示すように、接続ロッド３２よりも大きな外径を有し、接続ロッド３２のネジ山３２ａに合ったタップ穴３６ａを有する。タップ穴３６ａにより、第２ネジ３６は接続ロッド３２のネジ山３２ａに取り付けられる。第１ネジ３４と第２ネジ３６とを締め合わせることによって、微調整後のがたつきを抑え、光学機器をより強固に固定することができる。
【００３１】
次に、調整ロッド１０６とベース部材１０２及びエンド部材１０４との接続について説明する。
【００３２】
接続パイプ３０は、エンド部材１０４に接続される。エンド部材１０４の取り付け穴２０は、接続パイプ３０のネジ山３０ａに合わせたタップ穴とされ、接続パイプ３０が取り付け穴２０に嵌め込まれて固定される。
【００３３】
一方、接続ロッド３２は、ベース部材１０２に接続される。接続ロッド３２は、ネジ山３２ａが設けられた側から球面座具３８の穴に通され、球面体３２ｂの表面が第１球面座具３８の球面状の座面３８ａに接せられる。また、接続ロッド３２の球面体３２ｂは、第２球面座具４０の球面状の座面４０ａに接せられ、第１球面座具３８及び第２球面座具４０によって挟み込まれた状態とされる。このような状態で、接続ロッド３２のネジ山３２ａ側からベース部材１０２の取り付け穴１２に通され、外周にネジ山が設けられた押えネジ４２をタップ穴である取り付け穴１２に嵌め込むことによって取り付けられる。取り付け穴１２の内側には、第１球面座具３８の外径よりも小さな内径を有する段差１２ａが設けられ、押えネジ４２によって第１球面座具３８、球面体３２ｂ及び第２球面座具４０が段差１２ａに押し付けられる。ベース部材１０２には側面から固定タップ穴１４が取り付け穴１２に向けて貫通して設けられており、ベース部材１０２の側面からネジを用いて押えネジ４２を固定することができるようにすることが好ましい。また、押えネジ４２には、切り込み４２ａを設けることによって、ドライバーやコイン等によって、第１球面座具３８、球面体３２ｂ及び第２球面座具４０を押し付ける力を調整可能とすることも好適である。
【００３４】
このような取付状態において、球面体３２ｂと第１球面座具３８及び第２球面座具４０との滑りによって調整ロッド１０６はベース部材１０２に対して傾きが変更可能となる。すなわち、調整ロッド１０６には、ベース部材１０２に対して取り付け角度を変更する角度変更機構が設けられる。
【００３５】
調整ロッド１０６の１つの長さを調整した際、他の調整ロッド１０６の長さとの関係によって調整ロッド１０６の各々のベース部材１０２に対する角度が変更され、ベース部材１０２に対するエンド部材１０４の位置及び角度が調整可能となる。ベース部材１０２が三脚に固定され、エンド部材１０４に光学機器が固定されている場合、調整ロッド１０６の長さを調整することによって、三脚に対する光学機器の水平方向（Ｘ方向，Ｙ方向）、高さ方向（Ｚ方向）及び角度を微調整することができる。特に、赤道儀を含む重量のある光学機器を対象とした場合であっても微調整に対する操作性に優れ、調整の精度を高めることができる。
【００３６】
また、押えネジ４２の嵌め込み具合を調整することによって、第１球面座具３８及び第２球面座具４０によって挟み込まれた球面体３２ｂへの力が調整可能である。例えば、エンド部材１０４に重い機材を固定した場合、荷重により第１球面座具３８及び第２球面座具４０への球面体３２ｂの押し付けが強くなり、角度変更機構の動きが重くなり易い。そこで、押えネジ４２による押し付けを弱くすることにより、角度変更機構の動きを滑らかにすることができる。一方、エンド部材１０４に軽い機材を固定した場合、第１球面座具３８及び第２球面座具４０への球面体３２ｂの押し付けが弱くなり、角度変更機構が緩すぎて光学機器にがたつきが生じ易くなる。そこで、押えネジ４２による押し付けを強くすることにより、光学機器をしっかりと固定することができる。
【００３７】
以上のように、本実施の形態によれば、微調整に対する操作性に優れ、同等の操作性を実現する支持台に比べて小型・軽量化を実現し、調整の精度を高めた光学機器支持台を提供することができる。
【００３８】
なお、本実施の形態における光学機器用支持台１００ではベース部材１０２側に角度調整機構を設ける構造としたが、エンド部材１０４側に設ける構成としてもよい。また、調整ロッド１０６の伸縮調整機構や角度調整機構は、本実施の形態における構成に限定されるものではなく、他の構成を採用してもよい。
【符号の説明】
【００３９】
１０  タップ穴、１２  取り付け穴、１２ａ  段差、１４  固定タップ穴、２０  取り付け穴、２２  穴、２４  ネジ穴、２６  取付治具、２８  ネジ穴、３０  接続パイプ、３０ａ  ネジ山、３０ｂ  タップ穴、３２  接続ロッド、３２ａ  ネジ山、３２ｂ  球面体、３２ｃ  切り欠き部、３４  第１ネジ、３４ａ  タップ穴、３４ｂ  タップ穴、３６  第２ネジ、３６ａ  タップ穴、３８  球面座具、３８ａ  座面、４０  球面座具、４０ａ  座面、４２  押えネジ、４２ａ  切り込み、１００  光学機器用支持台、１０２  ベース部材、１０４  エンド部材、１０６  調整ロッド。
【図１】
0003182594.tif 000003
【図２】
0003182594.tif 000004
【図３】
0003182594.tif 000005
【図４】
0003182594.tif 000006
【図５】
0003182594.tif 000007
【図６】
0003182594.tif 000008
【図７】
0003182594.tif 000009
【図８】
0003182594.tif 000010
【図９】
0003182594.tif 000011
【図１０】
0003182594.tif 000012
【図１１】
0003182594.tif 000013